(57)【特許請求の範囲】
【請求項１】
建物開口部の上方に設けられるシャッター取り付け部材、該シャッター取り付け部材に取り付けられるシャッター本体、該シャッター本体を覆うボックス、及び前記建物開口部に沿って設けられるシャッター縦枠を備えるシャッター装置であって、
前記シャッター本体の下部には、下向きに開口するネジ穴が設けられたボックス固定片が備えられ、
前記ボックスの下部には、下向きに開口するネジ穴が備えられた取り付け片が備えられ、該取り付け片には、留め片が備えられ、
前記留め片に支持されて前記取り付け片に備えられるネジ押さえ部材を有し、
前記ネジ穴に通されたネジが、前記ネジ押さえ部材によって脱落防止されていることを特徴とする、シャッター装置。
【請求項２】
前記ネジ押さえ部材が略コ字状の断面形状を有し、前記ネジのネジ頭が、該コ字状の内側へと配置される、請求項１に記載のシャッター装置。
【請求項３】
前記ネジ押さえ部材が弾性部材を備える、請求項１に記載のシャッター装置。
【請求項４】
前記ボックスの上縁に沿って、ボックス被係止片が備えられ、前記シャッター取り付け
部材の上部には、ボックス係止片が備えられ、前記被係止片が前記ボックス係止片に係止
されている、請求項１乃至３のいずれかに記載のシャッター装置。
【発明の詳細な説明】
【技術分野】
【０００１】
本発明は建物開口部に備えられるシャッター装置に関する。
【背景技術】
【０００２】
シャッター装置としては、例えば、特許文献１のように、建物開口部の上方にシャッター本体が備えられ、開口部に備えられたガイドレールに沿ってスラットが上下するようなものが挙げられる。シャッター装置は通常、シャッター本体、シャッター本体を取り付けるための枠、シャッター本体を覆うシャッターボックス、及びシャッター本体の下方に備えられるシャッター縦枠（ガイドレールや開口部縦枠を含む）を有する。
【０００３】
シャッター装置を現場施工する場合において、シャッター本体は上記のように建物開口部上方という高い場所に備え付けるため、重量の大きなシャッター装置にあっては、施工作業が困難となりがちである。また、シャッター装置は、上記のようにスラット等の摺動部材を有するため、経年劣化しやすく、メンテナンスのため、しばしばシャッター本体、及びシャッターボックスの取り外し及び新たな取り付けを必要とする。そのため、施工性の高いシャッター装置が必要とされている。
また、シャッター装置を備え付けるには、建物開口部上方にシャッター本体の収納部等を必要とし、シャッター装置が備えられない場合と比較して、開口部の採光面積を縮小せざるを得ない。よって、出来るだけ開口部の採光面積に影響を与えないようなシャッター装置が必要とされている。
【０００４】
一方、シャッター装置は、室外に露出して備えられるため、建物外観に影響を与える。多様化する社会においては、シャッター装置の細部についても、意匠性が要求される場合が少なくない。
【０００５】
例えば、特許文献２において、内側壁と外側壁とを有する左右の枠において、当該両壁間を中間壁で連結することで、当該堅枠の見込み方向に中空部を形成し、当該内側壁の上方部位を、室外側の中空部の壁面に対応する部位において切り欠くことで、当該堅枠の上方部位にシャッター巻き取り部の端部を受け入れる収納空間を形成し、当該シャッター巻き取り部の端部を室内側の中空部の壁面で支持するように構成したことを特徴とする、シャッター枠の構造が提案されている。
【先行技術文献】
【特許文献】
【０００６】
【特許文献１】特開２０００−３１４２８１号公報
【特許文献２】特開２００３−１９３７６８号公報
【発明の概要】
【発明が解決しようとする課題】
【０００７】
特許文献２に記載のシャッター枠の構造によれば、シャッター収納領域の確保、シャッター部の重量支持が可能となり、且つ、ガイドレールの見付寸法を小さく抑え、開口部の採光面積が拡大可能となる旨記載されている。しかしながら、当該構造を用いて現場施工する場合は、まず、シャッター本体下部を堅枠に載せることで、シャッター本体の重量を支持し、その後、シャッター本体をネジ留め等して固定することとなる。すなわち、シャッター本体のネジ留め前においては、シャッター本体の重心の如何によって、シャッター本体が傾き、転げ落ちてしまう虞があり、シャッター本体を建物側へと押さえつけておかねばならない。従って、シャッター本体の現場施工性について改善の余地があった。
【０００８】
また、シャッター本体下部がシャッター縦枠によって支持される構造（支持片が縦枠側に取り付けられるような構造）にあっては、支持片の形状に合わせて強度確保のためシャッター縦枠の見付け方向幅を大きくせざるを得ず、開口部の採光面積を減少させてしまう。そのため、採光面積をより大きく確保することにつき、改善の余地があった。
【０００９】
一方、シャッターボックスについては、特許文献２に記載されたような、ネジ穴がシャッターボックス下部に備えられ、ネジ頭が下方を向くように構成されたものが現場施工性に優れるといえる。しかしながら、ネジ頭が下方を向く態様にあっては、シャッターの振動等によって、ネジがゆるみ、やがては抜け落ちる虞がある。一方、ネジの抜け落ちを防ぐべく、シャッターボックスの横側面等にネジを横向きに備えると、施工性に問題が生じるだけでなく、ネジ頭の凹凸が外観に影響を与える場合がある。従って、シャッターボックスのネジ脱落防止性、現場施工性、意匠性について改善の余地があった。
【００１０】
そこで本発明は、現場施工性に優れるとともに、採光面積を拡大可能なシャッター装置を提供することを第一の課題とする。また、現場施工性、意匠性に優れるとともに、振動や経年劣化による影響が少ないシャッター装置を提供することを第二の課題とする。
【課題を解決するための手段】
【００１１】
以下、本発明について説明する。なお、本発明の理解を容易にするために添付図面の参照符号を括弧書きにて付記するが、それにより本発明が図示の形態に限定されるものではない。また、本明細書において、「見付け方向」とは、建物開口部に備えられるシャッター装置の開口面に沿った方向を意味する。また、「見込み方向」とはシャッター装置の開口面と直行する方向（厚さ方向）を意味し、「見込み方向室外側」とは、シャッター装置が建物に取り付けられた姿勢で室外側となる方向であり、「見込み方向室内側」は、シャッター装置が建物に取り付けられた姿勢で室内側となる方向である。
【００１２】
本発明は、建物開口部の上方に設けられるシャッター取り付け部材（１００）、シャッター取り付け部材に取り付けられるシャッター本体（２００）、シャッター本体を覆うボックス（３００）、及び建物開口部に沿って設けられるシャッター縦枠（４０、６０）を備えるシャッター装置であって、シャッター本体の下部には、下向きに開口するネジ穴が設けられたボックス固定片（２２）が備えられ、ボックスの下部には、下向きに開口するネジ穴が備えられた取り付け片（３０）が備えられ、当該取り付け片には、留め片（３０ａ、３０ｂ）が備えられ、留め片に支持されて取り付け片に備えられるネジ押さえ部材（３２）を有し、ネジ穴に通されたネジが、ネジ押さえ部材によって脱落防止されていることを特徴とする、シャッター装置（１０００）を提供して前記課題を解決するものである。
【００１３】
ここで、「留め片に支持されて取り付け片に備えられるネジ押さえ部材」とは、例えば、ネジ押さえ部材が、留め片上に載せられて、取り付け片に備えられた形態を挙げることができる。「ネジが、ネジ押さえ部材によって脱落防止されている」とは、例えば、ネジ頭を下にしたネジが、ネジ押さえ部材によって挟持されたり、上向きに押さえられたりすることで、ネジが抜け落ちることがないようにされていることを意味する。
【００１４】
本発明において、ネジ押さえ部材（３２）が略コ字状の断面形状を有し、ネジのネジ頭が、当該コ字状の内側へと配置される形態としてもよい。これによって、ネジ頭がネジ押さえ部材に挟持され、ネジの抜け落ちを確実に防止することができる。
【００１５】
一方、本発明において、ネジ押さえ部材（３２）が、弾性部材を備える形態としてもよい。これによって、ネジ押さえ部材が留め片に確実に止められ、ネジの押さえつけを可能とし、ネジの抜け落ちを確実に防止することができる。
【００１６】
また、本発明において、ボックス（３００）の上縁に沿ってボックス被係止片（３１）が備えられ、シャッター取り付け部材の上部には、ボックス係止片（１２）が備えられ、被係止片が係止片に係止されていることが好ましい。ボックス上縁の被係止片がボックス係止片によって係止されることで、現場施工の際、まず、ボックス上縁を取り付け部に係止して仮止め可能であり、ボックス上縁が固定された状態で作業を進めることができる。従って、ボックスを取り付け部材へと安全且つ容易に取り付けることができ、施工性に優れるシャッター装置とすることができる。
【発明の効果】
【００１７】
本発明によれば、シャッター本体をシャッターボックスで覆う際、シャッターボックスの下部からネジ頭が下方を向くようにネジ留めされたネジが、ネジ押さえ部材によって支持されるため、振動等に起因するネジの抜け落ちを防止することができる。また、シャッターボックスの横側面等からネジ留めする場合と比較し、現場施工性に優れる。さらに、ネジ頭の凹凸形状がシャッター装置の室外正面視において露出することがない。従って、経年劣化による影響が少なく、現場施工性、意匠性に優れるシャッター装置を提供することができる。
【図面の簡単な説明】
【００１８】
【図１】シャッター装置１０００の内部構造を概略的に示す断面図である。
【図２】シャッター本体２００とシャッター取り付け部材１００を概略的に示す分解斜視図である。
【図３】上部掛止片２０の被掛止片１０への掛止を説明するための図である。
【図４】シャッターボックス３００の取り付けを説明するための図である。
【図５】ボックス被係止片３１のボックス係止片１２への係止を説明するための図である。
【図６】ネジ押さえ部材３２の斜視図である。
【図７】ネジ押さえ部材３２の側面を概略的に示す図である。
【図８】ネジ押さえ部材３２の取り付けを説明するための図である。
【図９】ネジ押さえ部材３２が取り付け片３０に取り付けられた状態を説明するための概略図である。
【図１０】ネジ押さえ部材３２の変形例を説明するための図である。
【図１１】ネジ押さえ部材３２’の形態例を概略的に示す図である。
【発明を実施するための形態】
【００１９】
上記した本発明の作用及び利得は、次に説明する発明を実施するための形態から明らかにされる。
【００２０】
以下本発明を図面に示す実施形態に基づき説明する。図１は、実施形態に係るシャッター装置１０００の内部構造を概略的に示す断面図である。図２は、シャッター取り付け部材１００へとシャッター本体２００を取り付ける前の状態を概略的に示す分解図である。本実施形態においては、図１、２に示すような、建物開口部の上方（建物開口部に備えられる上横枠５０やガイドレール４０の上方）に備えられたシャッター本体取り付け部材１００、当該シャッター本体取り付け部材１００に取り付けられるシャッター本体２００、当該シャッター本体２００に取り付けられるシャッターボックス３００、及びシャッター縦枠（ガイドレール４０、縦枠６０）を具備するシャッター装置１０００について説明するが、本発明は本実施形態に限定されるものではない。
【００２１】
＜シャッター本体取り付け部材１００＞
シャッター本体取り付け部材１００（以下、単に「取り付け部材１００」という。）は、図１、２に示すように、被掛止片１０、１０、被固定片１１、１１、ボックス係止片１２、横枠１５ａ、及び部材１５ｂを備えている。また、図２に示すように、縦枠部１５ｃ、１５ｄを有している。縦枠部１５ｃ、１５ｄは建物開口部の横縁に沿って備えられる縦枠の一部である。
【００２２】
取り付け部材１００の被掛止片１０、１０は、図１、２に示すように、取り付け部材１００の縦枠部１５ｃ、１５ｄにそれぞれ固定されるとともに、見込み方向室外側の端部が、下記に説明するシャッター本体２００の上部掛止片２０、２０を引っ掛けられるように構成されている。被掛止片１０、１０は、図１に示すように、略コ字状の断面を有しており、見込み方向室外側面には、ネジ穴が設けられ、上部掛止片２０、２０を被掛止片１０、１０へと引っ掛けた後、上部掛止片２０、２０と被掛止片１０、１０とがネジ留め可能とされている。被掛止片１０、１０は、シャッター本体２００の重量を支えることができる大きさ、強度を有して形成されている。
【００２３】
取り付け部材１００の被固定片１１、１１は、図１、２に示すように、取り付け部材１００の縦枠部１５ｃ、１５ｄにそれぞれ固定されている。また、室外側の端面に、ネジ穴が設けられており、シャッター本体２００の下部固定片２１を固定可能に構成されている。さらに、被固定片１１、１１は、シャッター縦枠（ガイドレール４０、縦枠６０）と離隔して、シャッター縦枠の上方に設けられており、当該シャッター縦枠の見付け方向幅が、当該被固定片１１、１１の見付け方向幅に依存していない。このことで、シャッター縦枠によってシャッター本体２００の重量を支持する必要がなくなるので、シャッター縦枠の見付け方向幅を小さくすることができ、採光面積をより大きくすることができる。
【００２４】
取り付け部材１００のボックス係止片１２は、所定の断面形状を有して、図１の紙面奥手前に延在する片である。ボックス係止片１２は、下記に説明する横枠１５ａの見込み方向室外側端部から垂下するように伸びており、その先端に片１２ａ、１２ｂ、１２ｃが設けられ、片１２ａ、１２ｂ、１２ｃによって形成される凹部に、下記ボックス３００上部のボックス被係止片３１が受け容れられるように構成されている。また、当該片１２ａ、１２ｂ、１２ｃによって形成される凹部の両端には、シール部材１６（図５参照）が備えられている。
【００２５】
取り付け部材１００の横枠１５ａ、部材１５ｂは、取り付け部材１００を構成する部材のうち、見込み方向で最も室内側に備えられる部材であり、所定の断面形状を有して、図１の紙面奥手前に延在している。横枠１５ａは見付け方向外側において、建物開口部の上縁へと取り付けられるように形成されている。また、横枠１５ａの見込み方向室外側の端部から上記ボックス係止片１２が伸びている。一方で、部材１５ｂは、上端部が、横枠１５ａのボックス係止片１２が備えられる側とは反対側の端部と係合可能に形成され、下端部が、サッシの上横枠５０の係合部５０ａと係合可能に形成されている。横枠１５ａと部材１５ｂが係合することで、シャッター本体の背部に背部パネルが形成されている。
【００２６】
取り付け部材１００の縦枠部１５ｃ、１５ｄは、建物開口部に沿って備えられる縦枠６０、６０の端部から上方へと延びている。すなわち、縦枠部１５ｃ、１５ｄと縦枠６０、６０とは一体とされている。当該縦枠６０、６０、上横枠５０、及び下横枠（不図示）に障子等（不図示）が備え付けられることで、開口部装置とされる。
【００２７】
＜シャッター本体２００＞
図１、２に示すように、シャッター本体２００には、上部掛止片２０、２０、下部固定片２１、２１、ボックス固定片２２、２２、スラット２３、２３、…、及び巻き取り部２４が備えられている。
【００２８】
シャッター本体２００の上部掛止片２０、２０は、図１に示すように、フック形状の断面を有しており、上記取り付け部材１００の被掛止片１０、１０に引っ掛けられるように構成されている。また、見付け方向に沿った面を有しており、当該面にはネジ穴が設けられ、見込み方向に貫通している。従って、上部掛止片２０、２０を被掛止片１０、１０へと引っ掛けた後、上部掛止片２０、２０と被掛止片１０、１０とがネジ留め可能とされている。上部掛止片２０、２０は、図２に示すように、被掛止片１０、１０と対応して、シャッター本体２００の上部両端に備えられている。また、シャッター本体２００の重量を支え得る大きさ、強度を有している。
【００２９】
シャッター本体２００の下部固定片２１、２１は、図１、２に示すように、シャッター取り付け部材１００の被固定片１１、１１と対応して互いにネジ留め可能に形成されている。また、下部固定片２１、２１についても、ガイドレール４０と接していないため、ガイドレール４０の見付け方向幅は、当該下部固定片２１、２１の見付け方向幅に依存していない。
【００３０】
シャッター本体２００のボックス固定片２２、２２は、下記に説明するボックスの取り付け片３０を固定可能に形成された片であり、当該ボックス固定片２２、２２と取り付け片３０とが互いにネジ留めされるように形成されている。また、ボックス固定片２２、２２と取り付け片３０とをネジ留めする際、ネジはネジ頭を下方に向けて固定される。ボックス固定片２２、２２及び取り付け片３０に設けられたネジ穴は、シャッター装置１０００が建物に取り付けられた姿勢において、室外正面視で隠された状態にある。
【００３１】
シャッター本体２００のスラット２３、２３、…としては、一般的なシャッター装置に用いられるスラットを特に限定されずに適用可能である。シャッター装置１０００においては、スラット２３が下記に説明する巻き取り部２４に巻き取られて保持されることで、建物開口部が開放され、巻き取り部２４からスラット２３が引き出され、ガイドレール４０のレール内を下向きに摺動させて建物開口部が閉鎖される。
【００３２】
シャッター本体２００の巻き取り部２４としては、一般的なシャッター装置に用いられるシャッター巻き取り部、巻き取り装置等を特に限定されずに適用可能である。シャッターの巻き取り、引き出しについては、手動であっても電動であってもよく、特に限定されない。
【００３３】
シャッター本体２００は、図２に示されるように、取り付け部材１００にネジ留めされる。以下、図２、３を参照しつつ、シャッター本体２００の取り付け部材１００への固定の仕方について説明する。
【００３４】
＜シャッター本体２００の取り付け＞
図３は、シャッター本体２００を取り付け部材１００へと取り付ける際の、上部掛止片２０及び被掛止片１０を拡大して示す概略図である。図２、３に示すように、シャッター本体２００を取り付け部材１００に取り付けるには、まず、シャッター本体２００の上部掛止片２０を、取り付け部材１００の被掛止片１０の端部に、ネジ穴が重なるように引っ掛け、シャッター本体２００が取り付け部材１００にぶら下げた状態とする。このとき、シャッター本体２００の下部固定片２１は、取り付け部材１００の被固定片１１と対応する位置に来ており、シャッター本体の重心に如何によっては、下部固定片２１が被固定片１１に突き当たった状態となる。シャッター本体２００を取り付け部材１００にぶら下げて保持したのち、上部掛止片２０、２０と被掛止片１０、１０とをネジ留めするとともに、下部固定片２１、２１と被固定片１１、１１とをネジ留めすることで、シャッター本体２００は取り付け部材１００へと取り付けられる。
【００３５】
上記の通り、被掛止片１０、及び上部掛止片２０によって、シャッター本体２００の重量はシャッター本体上部で支えられる。従って、シャッター本体２００を取り付け部材１００にぶら下げて保持した際、シャッター本体２００の重心の如何によってシャッター本体２００が転げ落ちたりすることがなく、後のネジ留め作業において、シャッター本体２００を人の手等によって押さえつけておく必要がない。そのため、作業者が単独で、シャッター本体２００を取り付け部材１００へと固定することができる。また、例えば、シャッター装置１０００をベランダのない開口部上方に備え付ける場合であっても、作業者が開口部から身を乗り出してシャッターを押さえつけておく必要がなく、施工時の安全性にも優れる。さらに、縦枠に設けられた固定片上にシャッター本体の下部を乗せて施工する従来の場合とは異なり、被固定片１１、及び下部固定片２１をシャッター縦枠と接することなく設けることが可能である。従って、シャッター縦枠の見付け方向幅が固定片の幅に依存しないため、シャッター縦枠の見付け方向幅を従来のものよりも細く形成可能である。以上のことから、本発明のシャッター装置１０００によれば、現場施工性に優れるとともに、開口部の採光面積を拡大することができる。
【００３６】
シャッター本体２００が取り付け部材１００へと取り付けられた後において、シャッター本体２００を覆うように、シャッターボックス３００が取り付けられる。以下、シャッターボックス３００、及びシャッターボックス３００の取り付け方について説明する。
【００３７】
＜シャッターボックス３００＞
図４に、シャッター本体２００が取り付け部材１００に取り付けられた後であって、シャッターボックス３００が取り付けられる前の分解図を示す。図１、４に示すように、シャッターボックス３００には、取り付け片３０、ボックス被係止片３１が設けられている。
【００３８】
シャッターボックス３００の取り付け片３０は、上記シャッター本体のボックス固定片２２にネジ留め可能に形成された片である。取り付け片３０は、所定の断面形状を有して、図１の紙面奥手前方向に延在し、スライド溝を形成している。当該スライド溝は、図１に示す断面形状において、スライド溝の底部を形成する片３０ｃ、及び当該片３０ｃからスライド溝の開口側に設けられる留め片３０ａ、３０ｂを有しており、留め片３０ａ、３０ｂ、及び片３０ｃによって形成される凹部にて下記ネジ押さえ部材３２がスライド可能とされるとともに、留め片３０ａ、３０ｂによって下記ネジ押さえ部材３２がスライド溝内部に保持される構造となっている（特に図７〜９参照）。また、片３０ｃにはネジ穴が設けられ、ネジ頭が下方を向くようにネジ留めされて、取り付け片３０とボックス固定片２２とが固定される。
【００３９】
シャッターボックス３００のボックス被係止片３１は、所定の断面形状を有して、図１の紙面奥手前に延在する片であり、シャッターボックス３００の上端に形成されるとともに、取り付け部材１００の片１２ａ、１２ｂ、１２ｃによって形成される凹部に差し込まれて、シャッターボックス３００の上端がボックス係止片１２に係止されるように形成された片である。
【００４０】
＜ボックス３００の取り付け＞
以下、ボックス３００の取り付け部材１００及びシャッター本体２００への取り付け方について説明する。ボックス３００を取り付け部材１００及びシャッター本体２００へと取り付ける場合、まずボックス３００のボックス被係止片３１が、取り付け部材１００のボックス係止片１２に係止される。その後、ボックス３００の取り付け片３０がシャッター本体２００のボックス固定片２２へとネジ留めされることで、ボックス３００はシャッター本体２００を覆うように取り付けられる。
【００４１】
図５（ａ）、（ｂ）は、取り付け部材１００のうち、図４の領域Ａで示される部分についての拡大図である。図５においては、説明のため、部材を一部省略して示している。図５（ａ）には、取り付け部材１００に備えられる部材のうち、片１５ａ、ボックス係止片１２、及びシール部材１６の断面図が概略的に示されている。図１５（ｂ）には、取り付け部材１００のボックス係止片１２、シール部材１６、及び縦枠部１５ｃの正面視拡大図が概略的に示されている。図５（ｃ）は、図５（ｂ）にＣで示した部分において、ボックス３００のボックス被係止片３１を取り付け部材１００のボックス係止片１２へと取り付ける方法を説明するための図である。
【００４２】
図５（ｃ）に示すように、ボックス３００の上端を取り付け部材１００に取り付ける際は、まず、ボックス３００の下端を上方に持ち上げるようにして、ボックス被係止３１の端部と、ボックス係止片１２とを突き合わせる。その後、ボックス被係止片３１を、ボックス係止片１２の片１２ａ、１２ｂ、１２ｃによって形成される凹部に、シール部材１６の上面を押しつぶすようにして差し込む。次に、上方に持ち上げていたボックス３００の下端を下ろし、ボックス被係止片３１の上端が凹部の上端に潜り込むように、且つ、シール部材１６の正面を押しつぶすようにして、ボックス被係止片３１をボックス係止片１２へと取り付ける。シール部材１６が押しつぶされることで、シール部材１６とボックス３００とが密着し、水密性が高められる。シール部材１６は、図４にＡ’で示される部分にも備えられており、ボックス３００の上端の両端部が水密されることとなる。
【００４３】
上記の要領でボックス３００の上端を取り付け部材１００へと取り付けた後、ボックスの下端部がシャッター本体２００へと取り付けられる。すなわち、ボックス３００の取り付け片３０、３０が、シャッター本体２００のボックス固定片２２、２２にネジ留めされて、ボックス３００をシャッター本体２００へと固定する。図４に示すように、本実施形態において、ボックス３００とシャッター本体２００とをネジ留めする際は、ネジがボックス３００の下部から、ネジ頭を下方に向けて挿入される。しかしながら、ネジを単にネジ留めしたのみでは、振動や経年劣化等によって徐々にネジがゆるみ、やがてはネジが脱落してしまう虞がある。そこで、本実施形態においては、ネジ頭を押さえつけるためのネジ押さえ部材３２を取り付け片３０、３０に嵌め込むことによって、ネジ脱落を防止している。
【００４４】
図６（ａ）、（ｂ）は、ネジ押さえ部材３２の一形態例を示す斜視図である。また、図７には、ネジ押さえ部材３２について、図６（ａ）の矢印方向から見た場合の側面図が示されている。図６（ａ）、（ｂ）に示されるように、ネジ押さえ部材３２は、片３２ａ、片３２ａの一端から片３２ａと略直交して設けられるとともに、先割れに形成された片３２ｂ、片３２ａの他端から片３２ｂと略平行に設けられる片３２ｃ、及び片３２ｃの片３２ａが設けられる側とは反対側の端部から伸びる折れ片３２ｄを有している。片３２ｃの面内略中央には、工具を差し込むための孔３２ｅが設けられている。また、片３２ｂの先割れ部の幅Ｃは、ネジのネジ首幅と略同一とされ、ネジ首が３２ｂの先割れ部から片３２ａ側にスライド可能とされている。一方、片３２ｂは両端に凸部３２ｆ、３２ｆが設けられている。図７に示すように、ネジ押さえ部材３２は、断面形状が略コ字状であり、当該コ字状内部に空間Ｄが形成されている。
【００４５】
また、図８は、ボックスの取り付け片３０がネジ留めされた後、ネジ押さえ部材３２が取り付け片３０へと挿入され、ネジ頭を押さえつけた状態に至る過程を説明するための図である。図８（ａ）に示すように、まず、取り付け片３０の片３０ｃに設けられたネジ穴にネジが挿入され、取り付け片３０がボックス固定片２２へとネジ留めされる。このとき、ネジは完全に締めこまれておらず、ネジ頭と片３０ｃとの間には、わずかに隙間が存在している。そして、図８（ｂ）に示すように、取り付け片３０の切り欠きからネジ押さえ部材３２が挿入される。ネジ押さえ部材３２は、片３２ｂが取り付け片３０の片３０ｃへと接するように挿入され、取り付け片３０内をスライド可能とされている。
【００４６】
取り付け片３０へと挿入されたネジ押さえ部材３２は、片３２ｂの先割れ部の幅がネジ首幅と略同一に形成されているため、ネジ頭と片３０ｃとの間の上記隙間に片３２ｂの先端部を滑り込ませ、ネジ頭をコ字状の内側へと嵌め入れる。すなわち、ネジは、折れ片３２ｄがネジ頭に乗り上がるようにして挿入され、やがては図７に示す空間Ｄへと到達する。そして、片３２ｃに設けられた孔３２ｅから工具が差し入れられ、ネジが締めこまれる（図８（ｃ）の状態）。一方、取り付け片３０にはネジ押さえ部材３２の脱落を防ぐための留め片３０ａ、３０ｂが形成されており、図９に示すように、ネジ押さえ部材３２は当該片３０ａ、３０ｂによって係止され、ネジを支持可能に状態で保持される。即ち、ネジ押さえ部材３２は、片３０ａ、３０ｂといった留め片によって、落下することなく取り付け片３０に留められる一方で、ネジの落下を防止するようにネジを挟持して支持することが可能である。ネジ押さえ部材３２の留め片への係止に際しては、ネジ押さえ部材３２が取り付け片３０に支持され得る形態であれば特に限定されないが、例えば、図９に示すようにネジ押さえ部材３２の凸部３２ｆを留め片３０ａ、３０ｂの凹部に嵌め込むことによって係止され得る。また、孔３２ｅが設けられることで、ネジ押さえ部材３２を取り外さずともネジの状態を点検することができる。
【００４７】
図１０は、ネジ押さえ部材３２の変形例（ネジ押さえ部材３２’）を説明するための図である。図１０（ａ）においては、ネジ留め箇所が露出するように、一部が切り欠かれて示されている。この態様においては、ネジ押さえ部材３２は弾性部材を備えた形態とされている。また、取り付け片３０は一部に切り欠き３０ｄが設けられている。
【００４８】
まず、取り付け片３０の片３０ｃに設けられたネジ穴にネジが挿入され、取り付け片３０がボックス固定片２２へとネジ留めされる。このとき、ネジは完全に締めこまれ、上記のような隙間は存在していない。そしてネジ押さえ部材３２’を取り付け片３０の凹部へと挿入する（図１０（ａ）の状態）。
【００４９】
取り付け片３０の凹部に挿入されたネジ押さえ部材３２’は、全体として縮んだ状態にあり、この状態のままネジ頭と接する箇所までスライドさせる。取り付け片３０の切り欠き３０ｄは、ネジ頭と対応する位置に形成されており、ネジ押さえ部材３２’が当該切り欠き３０ｄまで到達すると、縮んだ状態にあったネジ押さえ部材３２’の弾性力が解放され、切り欠き３０ｄの縁に沿ってネジ押さえ部材３２’を固定できるとともに、ネジ頭を取り付け片３０へと押さえつけることができる（図１０（ｂ）の状態）。
【００５０】
ネジ押さえ部材３２’としては、例えば、図１１（ａ）〜（ｃ）に示されるような形態が考えられる。図１１（ａ）の形態においては、ネジ押さえ部材３２’ａは、内部が中空とされることで、伸縮可能に形成されている。ネジ押さえ部材３２’ａは、切り欠き３０ｄに固定可能であればその材質は限定されない。また、図１１（ｂ）の形態においては、ネジ押さえ部材３２’ｂは、内部に弾性部材を備えており、ネジ押さえ部材３２’ｂの凸部が押し込み可能となっている。さらに、図１１（ｃ）の形態においては、ネジ押さえ部材３２’ｃはゴム等の弾性材料からなっており、部材全体として伸縮可能とされている。
【００５１】
上記のようなネジ押さえ部材３２、３２’を備えることで、ネジが取り付け片３０から脱落することなく固定され、振動や経年劣化によるネジのゆるみ、抜け落ちを防ぐことができる。また、ネジをボックス３００の下面側からネジ頭が下方を向くように取り付け可能とされるため、ネジがボックスの横側面に取り付けられる場合と比較して、現場施工性に優れる。例えば、シャッター装置１０００をベランダのない開口部上方に備え付ける場合であっても、作業者が開口部から身を乗り出すことなく容易に施工可能である。さらに、シャッター装置１０００の室外正面視において、ネジ頭は隠蔽されるようにネジが取り付けられるため、ネジ頭の凹凸が外観に影響を及ぼすことがなく、意匠性に優れるシャッター装置１０００とすることができる。
【００５２】
上記においては、取り付け部材１００、シャッター本体２００、及びシャッターボックス３００の各ネジ留め部分を中心に説明してきたが、取り付け部材１００、シャッター本体２００、及びシャッターボックス３００に係るその他の部分については、従来のシャッター装置に用いられてきたものを特に限定されずに適用可能である。
【００５３】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うシャッター装置もまた本発明の技術的範囲に包含されるものとして理解されなければならない。
【符号の説明】
【００５４】
１０  被掛止片
１１  被固定片
１２  ボックス係止片
２０  上部掛止片
２１  下部固定片
２２  ボックス固定片
３０  取り付け片
３１  ボックス被係止片
３２  ネジ押さえ部材
４０  ガイドレール（シャッター縦枠）
６０  縦枠（シャッター縦枠）
１００  シャッター取り付け部材
２００  シャッター本体
３００  シャッターボックス
１０００  シャッター装置
【図１】
0005529326.tif 000002
【図２】
0005529326.tif 000003
【図３】
0005529326.tif 000004
【図４】
0005529326.tif 000005
【図５】
0005529326.tif 000006
【図６】
0005529326.tif 000007
【図７】
0005529326.tif 000008
【図８】
0005529326.tif 000009
【図９】
0005529326.tif 000010
【図１０】
0005529326.tif 000011
【図１１】
0005529326.tif 000012